(57)【特許請求の範囲】
【請求項１】
暖房熱源機と通信可能に構成された制御部と、暖房熱源機から供給される電力から制御部の駆動電力を生成する定電圧回路とを有する暖房通信端末装置において、
前記定電圧回路への入力電圧調整用の制限抵抗の抵抗値を変更可能な抵抗値設定手段が設けられ、
前記制御部は、前記暖房熱源機との通信によって暖房熱源機からの供給電圧を特定する第１のステップと、この第１のステップにより特定した供給電圧に基づいて前記抵抗値設定手段により前記制限抵抗の抵抗値を設定して定電圧回路への入力電圧を調節する第２のステップとを有する制御構成を備えた
ことを特徴とする暖房通信端末装置。
【請求項２】
前記制限抵抗は、抵抗値が固定された１又は複数の抵抗器で構成され、
前記抵抗値設定手段は、前記抵抗器と並列に接続される電路を短絡又は開放状態に設定するスイッチ手段を備えてなり、
前記制御部は、前記電路のスイッチ手段を短絡又は開放状態のいずれかに切り替えることによって定電圧回路への入力電圧を調節するように構成された
ことを特徴する請求項１に記載の暖房通信端末装置。
【請求項３】
前記制御部は、暖房熱源機からの供給電圧が特定されるまでは、暖房熱源機から供給される電力が前記制限抵抗を通じて前記定電圧回路に供給されるようにした制御構成を備えていることを特徴とする請求項１または２に記載の暖房通信端末装置。
【請求項４】
前記制限抵抗の抵抗値は、供給電圧が最も高い暖房熱源機が接続された場合でも、前記定電圧回路への入力電圧が当該定電圧回路の定格入力電圧の範囲に入るように設定されるとともに、最も供給電圧の低い暖房熱源機が接続された場合でも、前記定電圧回路において前記制御部の動作に必要な電力を生成可能な入力電圧が得られるように設定されていることを特徴とする請求項２に記載の暖房通信端末装置。
【請求項５】
前記制御部は、前記暖房熱源機からの供給電圧が特定されるまでは、前記制御部以外の部位に電力を供給しないように前記定電圧回路の出力を制御する制御構成を備えたことを特徴とする請求項１から４のいずれかに記載の暖房通信端末装置。
【発明の詳細な説明】
【技術分野】
【０００１】
この発明は暖房通信端末装置に関し、より詳細には、暖房熱源機と通信可能に構成された暖房通信端末装置に関する。
【背景技術】
【０００２】
近時、ガスや石油を燃料とする給湯装置で生成される温水を熱媒とする暖房装置（例えば、床暖房装置やファンコンベクタなど）が提案されている。
【０００３】
このように給湯装置を暖房装置の熱源として利用する暖房システムにおいては、暖房熱源機となる給湯装置には、給湯機能用のリモコンとは別に、暖房機能用のリモコン（以下、暖房用リモコン）が設けられている。
【０００４】
図２は、このような暖房用リモコンと給湯装置との接続例を示す説明図である。図示のように、この種の暖房用リモコンａと給湯装置ｂとは電源線ｃ及び信号線ｄを介して接続される。
【０００５】
電源線ｃは給湯装置ｂから暖房用リモコンａに電力を供給するための電源ラインであり、給湯装置ｂで生成された所定電圧（例えば、ＤＣ２５Ｖ）の電力がこの電源線ｃを介して暖房用リモコンａに供給されるように構成されている。暖房用リモコンａの内部には、給湯装置ｂから供給される電力に基づいてリモコン各部（後述するマイコンの他、図示しない表示装置やスイッチ操作の受付音等を発生させる鳴動装置など）に供給する電力を生成する定電圧回路ｅが備えられており、この定電圧回路ｅを介してリモコン各部に駆動電力が供給される。
【０００６】
ここで、図において符号ｆで示すのは、上記定電圧回路ｅへの入力電圧を調節するための制限抵抗（抵抗器）である。この制限抵抗ｆの抵抗値は、給湯装置ｂの供給電圧と定電圧回路ｅの定格入力電圧とに基づいて予め設定される。すなわち、この制限抵抗ｆの抵抗値は、電源線ｃから供給される電力によって定電圧回路ｅが加熱・破損するのを防止するように設定されている。
【０００７】
一方、信号線ｄは、暖房用リモコンａと給湯装置ｂとの通信用の信号伝送ラインであって、この信号線ｄは制御部ｇと接続されている。制御部ｇは、リモコン各部の制御機能と上記給湯装置ｂとの通信機能とを備えたマイコンで構成されており、このマイコンにはこれらの機能を実現するためのプログラムが備えられている。なお、この制御部ｇも上記定電圧回路ｅから駆動電力の供給を受けるように構成されている。
【０００８】
【特許文献１】特開平５−６６０２３号公報
【発明の開示】
【発明が解決しようとする課題】
【０００９】
しかしながら、このような従来の構成よりなる暖房システムにおいては、以下のような問題があり、その改善が望まれていた。
【００１０】
すなわち、従来の暖房システムにおいては、給湯装置ｂと暖房用リモコンａとの間の通信仕様には様々な仕様が存在しており、通信仕様が相違すると、給湯装置ｂから暖房用リモコンａへの供給電圧や、給湯装置ｂと暖房用リモコンａとの間のデータ伝送手順等が相違している。
【００１１】
従来の暖房システムでは、このような通信仕様の相違に応じて専用の暖房用リモコンａが開発・製造されている。特に、給湯装置ｂからの供給電圧の相違は、暖房用リモコンａ内の定電圧回路ｅの加熱・破損等の原因となることから、供給電圧の相違に応じて抵抗値の異なる制限抵抗ｆを備えた暖房用リモコンａが提供されている。
【００１２】
そのため、従来の暖房システムにおいては、複数種類の暖房用リモコンを製造・管理しなければならないため暖房用リモコンの製造・管理コストが高くなり、暖房システムのコスト上昇を招いていた。
【００１３】
なお、このような問題を回避する方法として、暖房用リモコンに給湯装置からの供給電圧を検出・測定する電圧検出回路を設け、電圧検出回路の検出結果に応じて制限抵抗の抵抗値を切り替える構成を採用することも考えられるが、その場合、電圧検出回路と抵抗値の切替回路とが必要となり部品点数の増加を招き、暖房用リモコンの小型化を阻害する要因となる。
【００１４】
本発明は、このような問題点に鑑みてなされたものであって、その目的とするところは、異なる通信仕様においても互換性のある暖房用リモコンを提供することにより暖房システムを安価に提供することを主たる目的とする。その際、可能な限り部品点数の増加を抑制し、暖房用リモコンの小型化を図ることも併せて目的とする。
【課題を解決するための手段】
【００１５】
上記目的を達成するため、本発明に係る暖房通信端末装置は、暖房熱源機と通信可能に構成された制御部と、暖房熱源機から供給される電力から制御部の駆動電力を生成する定電圧回路とを有する暖房通信端末装置において、上記定電圧回路への入力電圧調整用の制限抵抗の抵抗値を変更可能な抵抗値設定手段が設けられ、上記制御部は、上記暖房熱源機との通信によって暖房熱源機からの供給電圧を特定する第１のステップと、この第１のステップにより特定した供給電圧に基づいて上記抵抗値設定手段により上記制限抵抗の抵抗値を設定して定電圧回路への入力電圧を調節する第２のステップとを有する制御構成を備えたことを特徴とする。
【００１６】
すなわち、本発明の暖房通信端末装置においては、定電圧回路への入力電圧は抵抗値設定手段により制限抵抗（電気抵抗）の抵抗値を変更することによって調節可能とされており、暖房熱源機からの供給電圧に応じて制限抵抗の抵抗値を増減させることで、定電圧回路への入力電圧を適正な値（定格入力電圧の範囲内）に保つことが可能とされている。
【００１７】
また、この暖房通信端末装置は、制御部が暖房熱源機との通信機能を利用して暖房熱源機からの供給電圧を特定するように構成されるので、暖房通信端末装置側に別途電圧検出回路を設けることなく、暖房熱源機からの供給電圧の特定が可能とされている。
【００１８】
そのため、本発明によれば、暖房熱源機と接続されると、この接続された暖房熱源機からの供給電圧を暖房通信端末装置の制御部が通信によって特定し、特定した供給電圧に応じて定電圧回路への入力電圧が適正な値となるように自動的に調節される。したがって、供給電圧が異なる複数の暖房熱源機に対して互換性のある暖房通信端末装置を提供することができる。
【００１９】
そして、本発明はその好適な実施態様として、上記制限抵抗は、抵抗値が固定された１又は複数の抵抗器で構成され、上記抵抗値設定手段は、上記抵抗器と並列に接続される電路を短絡又は開放状態に設定するスイッチ手段を備えてなり、上記制御部は、上記電路のスイッチ手段を短絡又は開放状態のいずれかに切り替えることによって定電圧回路への入力電圧を調節するように構成されたことを特徴する。
【００２０】
すなわち、この実施態様では、抵抗値設定手段は抵抗値が一定の制限抵抗と並列に接続される電路にスイッチ手段を設けることにより構成されるので、制御部はこのスイッチ手段を短絡状態とすることで制限抵抗を介さずに（制限抵抗による電圧降下がない状態で）、また、スイッチ手段を開放状態にすることによって制限抵抗を介して（制限抵抗により電圧を降下させた状態で）定電圧回路に電力を供給することができる。つまり、スイッチ手段の状態を短絡・開放のいずれかに制御することによって定電圧回路への入力電圧の調節が可能とされる。
【００２１】
なお、ここで制限抵抗が複数の抵抗器を直列に接続することにより構成されている場合には、これら複数の抵抗器の全体（合成抵抗）に対して１のスイッチ手段を備えた電路を設けることが可能であることは勿論のこと、数個の抵抗器ごとや各抵抗器ごとにスイッチ手段を備えた電路を並列に接続し、これら各スイッチ手段について短絡／開放状態を個々に制御することで制限抵抗の抵抗値をきめ細かく調節・設定可能に構成することもできる。
【００２２】
このように、この実施態様では、抵抗値設定手段が電路とスイッチ手段という極めてシンプルな回路構成とされるので、本発明の暖房通信端末装置を安価かつコンパクトに実現することができる。
【００２３】
また、本発明は他の好適な実施態様として、上記制御部は、暖房熱源機からの供給電圧が特定されるまでは、暖房熱源機から供給される電力が上記制限抵抗を通じて上記定電圧回路に供給されるようにした制御構成を備えていることを特徴とする。
【００２４】
すなわち、この実施態様では、暖房熱源機からの供給電圧が特定されるまでは、暖房熱源機からの電力が制限抵抗を通じて定電圧回路に供給されるので、供給電圧の高い暖房熱源機が接続された場合でも、定電圧回路に定格入力電圧を超える電圧が印加されるのを回避することができる。
【００２５】
また、本発明は他の好適な実施態様として、上記制限抵抗の抵抗値は、供給電圧が最も高い暖房熱源機が接続された場合でも、上記定電圧回路への入力電圧が当該定電圧回路の定格入力電圧の範囲に入るように設定されるとともに、最も供給電圧の低い暖房熱源機が接続された場合でも、上記定電圧回路において上記制御部の動作に必要な電力を生成可能な入力電圧が得られるように設定されていることを特徴とする。
【００２６】
すなわち、本発明においては、暖房熱源機からの供給電圧の特定は、暖房熱源機との接続後に制御部が通信により行なうように構成されるので、最も供給電圧の高い暖房熱源機が接続された場合でも定電圧回路が破損等しないように設定されると同時に、最も供給電圧が低い暖房熱源機が接続された場合でも制御部が動作可能なように設定される。これにより、供給電圧が最も高い暖房熱源機及び供給電圧が最も低い暖房熱源機のいずれが接続されても確実に動作する暖房通信端末装置を提供できる。
【００２７】
また、本発明は他の好適な実施態様として、上記制御部は、上記暖房熱源機からの供給電圧が特定されるまでは、上記制御部以外の部位に電力を供給しないように上記定電圧回路の出力を制御する制御構成を備えたことを特徴とする。
【００２８】
すなわち、この実施態様によれば、暖房熱源機からの供給電圧が特定されるまでの間は制御部以外の部位に電力が供給されないので、供給電圧の特定の際の制御部が電力不足に陥ることが回避される。したがって、供給電圧の特定を確実に行うことができる。
【発明の効果】
【００２９】
本発明によれば、暖房通信端末装置の制御部が、暖房熱源機からの供給電圧を暖房熱源機との通信によって特定して定電圧回路への入力電圧が適正な値となるように自動的に調節されるので、供給電圧が異なる複数の暖房熱源機に対して互換性のある暖房通信端末装置を提供することができる。
【発明を実施するための最良の形態】
【００３０】
以下、本発明に係る暖房通信端末装置を暖房システムの暖房用リモコンに適用した場合について図面に基づいて詳細に説明する。
【００３１】
ここで、本実施形態に示す暖房システムは、温水を熱媒とする暖房装置（図示せず）と、この暖房装置に熱媒となる温水を供給する暖房熱源機（給湯装置）２とを主要部として構成される。このような暖房システムの構成自体は公知であるので詳細な説明は省略するが、本実施形態に示す暖房熱源機２は、少なくとも、暖房用リモコン１に供給する電力を生成する電源部２１と、暖房用リモコン１との通信を行なう通信部２２とを備えて構成される（詳細は後述する）。
【００３２】
そして、本発明に係る暖房用リモコン１は、このような暖房システムにおいて、暖房装置の暖房機能に関して暖房熱源機２を遠隔操作するための操作装置を構成するものであり、特に本発明の暖房用リモコン１は、供給電圧やデータ伝送手順などの通信仕様が異なる複数種類の暖房熱源機２に対して互換性をもって接続可能な暖房用リモコンに関する。
【００３３】
以下の説明においては、暖房用リモコン１は、電源部２１の出力電圧がＤＣ２５Ｖであり通信部２２のデータ伝送手順が所定の手順Ａとされる暖房熱源機２ａと、電源部２１の出力電圧がＤＣ１５Ｖであり通信部２２のデータ伝送手順が所定の手順Ｂとされる暖房熱源機２ｂとの間で互換性を持った暖房用リモコン１について説明する。
【００３４】
図１は、本発明に係る暖房用リモコンの電源系統並びに通信系統の概略構成を示す説明図である。図示のように、この暖房用リモコン１は、電源線３及び信号線４を介して暖房熱源機２と接続される。
【００３５】
暖房用リモコン１の内部には、電源線３を介して暖房熱源機の電源部２１から供給される電力から暖房用リモコン各部の駆動電力を生成する定電圧回路（電源回路）１１が備えられている。図示例では、この定電圧回路１１として複数の定電圧回路（ＤＣ５Ｖを生成する回路１１ａと、ＤＣ９Ｖを生成する回路１１ｂ）が備えられており、このうち、定電圧回路１１ａで生成される電力は、後述するマイコン１６及び図示しない表示部を構成する液晶パネル等の駆動電力として供給され、定電圧回路１１ｂで生成される電力は、図示しない操作スイッチの操作音を発生させる鳴動装置（図示せず）や表示部を構成する発光ダイオード（図示せず）等に供給されるように構成されている。なお、これら定電圧回路１１ａ，１１ｂとしては三端子レギュレータが好適に使用され得る。
【００３６】
符号１２は、上記定電圧回路１１の入力電圧を調節するための制限抵抗を示している。この制限抵抗１２は、定電圧回路１１に定格入力電圧を超える電圧が入力されないように設けられるもので、本実施形態では、この制限抵抗１２は、定電圧回路１１ａ，１１ｂごとに電源線３との間にそれぞれ挿入される抵抗値が固定の抵抗器１２ａ，１２ｂで構成されている。そして、本実施形態では、暖房熱源機２からの供給電圧は、上記のとおり、ＤＣ２５Ｖ又はＤＣ１５Ｖのいずれかであるので、これら制限抵抗１２ａ，１２ｂの抵抗値は、いずれも電圧の高いＤＣ２５Ｖが電源線３を通じて供給された場合でも定電圧回路１１の定格入力電圧を越えないように設定される。
【００３７】
すなわち、本発明の暖房用リモコン１は、通信仕様（供給電圧）が異なる複数種類の暖房熱源機２に対して互換性をもつように構成されるので、制限抵抗１２の抵抗値の設定にあたっては、接続されることがあると予測される暖房熱源機２のうちで供給電圧が最も高い暖房熱源機（本実施形態では暖房熱源機２ａ）が接続された場合でも定電圧回路１１への入力電圧が定電圧回路１１の定格入力電圧の範囲に入るように設定される。つまり、本実施形態では、供給電圧がＤＣ２５Ｖの場合においても、定電圧回路１１の入力電圧が定格入力電圧の範囲内となるように設定される。
【００３８】
また、この制限抵抗１２の抵抗値の設定にあたっては、特に、マイコン１６の駆動電力を生成する定電圧回路１１ａ側の制限抵抗１２ａは、上述した条件に加えて、最も供給電圧の低い暖房熱源機２（本実施形態では暖房熱源機２ｂ）が接続された場合でも、定電圧回路１１ａにおいてマイコン１６の動作に必要な電力を生成可能な入力電圧が得られるように設定される。
【００３９】
すなわち、本発明の暖房用リモコン１は、後述するように、暖房熱源機２からの供給電圧をマイコン１６が特定するように構成されるとともに、この特定が済むまでは制限抵抗１２ａを介して定電圧回路１１ａに電力が供給されるように構成されるため、制限抵抗１２ａの抵抗値が大きすぎるとマイコン１６を動作させるに足る電力が得られなくなり、暖房熱源機２からの供給電圧の特定が行なえなくなってしまう。
【００４０】
そのため、少なくともマイコン１６に駆動電力を供給する定電圧回路１１ａ側の制限抵抗１２ａについては、その抵抗値の設定にあたり、供給電圧の低い暖房熱源機２ｂが接続された場合でも定電圧回路１１ａにおいてマイコン１６の動作に必要な電力を生成可能な入力電圧が得られるように設定される。なお、ここでマイコン１６の動作に必要な電力とは、定電圧回路１１ａの定格出力を意味するものではなく、定格出力に満たなくともマイコン１６が動作可能な電力が得られればそれで足りる。
【００４１】
そして、本発明においては、これら制限抵抗１２のそれぞれについて抵抗値を変更可能に構成してなる抵抗値設定手段１３が設けられている。この抵抗値設定手段１３は、制限抵抗１２の抵抗値を変更することで定電圧回路１１の入力電圧を増減させるもので、本実施形態では、この抵抗値設定手段１３は、制限抵抗１２の抵抗器１２ａ，１２ｂと並列に接続される電路１４ａ，１４ｂを短絡又は開放状態に設定するスイッチ手段１５ａ，１５ｂで構成されている。
【００４２】
このスイッチ手段１５ａ，１５ｂは、マイコン１６によって電路１４ａ，１４ｂの短絡／開放制御が可能な素子で構成され、図示例ではこのスイッチ手段１５ａ，１５ｂとしてトランジスタが用いられている。すなわち、このスイッチ手段１５は、電路１４を短絡させることで電源線３から供給される電力が制限抵抗１２を通らずに（制限抵抗１２で電圧降下せずに）定電圧回路１１に供給されるようにするとともに、電路１４を開放させることで電源線３からの電力が制限抵抗１２を通じて（制限抵抗１２で電圧降下させて）定電圧回路１１に供給されるように構成されている。
【００４３】
なお、このスイッチ手段１５は、初期設定（暖房用リモコン１に電力供給がない状態）では電路１４が開放状態となるように、つまり、この状態で暖房熱源機２から電力供給が開始されると、その電力は制限抵抗１２を通じて定電圧回路１１に供給されるように構成されている。すなわち、スイッチ手段１５は、供給電圧が高い暖房熱源機２が接続された場合でも定電圧回路１１が破損等しないように安全側に設定されており、この状態は少なくとも後述する供給電圧の特定がなされるまで継続される。
【００４４】
符号１６は、暖房用リモコン１の制御部を構成するマイコンであって、このマイコン１６は、暖房用リモコン１の各部の動作制御を行なうとともに、図示のように、暖房熱源機２の通信部２２と信号線４を介して接続され、暖房熱源機２の通信部２２と通信可能に構成されている。そして、この通信機能に関しても、マイコン１６は通信仕様（データ伝送手順）が異なる複数種類の暖房熱源機２に対して互換性をもつように（つまり、通信可能なように）構成されている。すなわち、本実施形態では、上述した手順Ａ及び手順Ｂの双方のデータ伝送手順に対応する通信プログラムが搭載されている。また、このマイコン１６には、各手順Ａ，Ｂに対応する暖房熱源機２ａ，２ｂの供給電圧についてのデータ（つまり、データ伝送手順と暖房熱源機２の供給電圧を関連づけるデータも記憶されている（詳細は後述する）。
【００４５】
しかして、このように構成された暖房用リモコン１は、暖房熱源機２からの電力供給が開始されると（たとえば、施工後の初期電源投入時や暖房熱源機２の電源がリセットされたときなど）、マイコン１６が以下の手順で接続されている暖房熱源機２の供給電圧を特定して定電圧回路１１への入力電圧の調整を行なうように構成されている。
【００４６】
まず、暖房熱源機２から電力供給が開始された時点では、上述したように、上記スイッチ手段１５は電路１４を開放状態としているので、暖房熱源機２から供給される電力は、その供給電圧の高低に関係なく制限抵抗１２を介して定電圧回路１１に供給される。
【００４７】
ここで、供給電圧が高い暖房熱源機２が接続された場合には、制限抵抗１２を通じることで定電圧回路１１には定格入力電圧の範囲の電圧が供給され、これによりマイコン１６に駆動電力が与えられる。一方、供給電圧が低い暖房熱源機２が接続された場合でも、本実施形態ではマイコン１６の駆動電力を生成する定電圧回路１１ａ側の制限抵抗１２ａは、マイコン１６を動作させるに足る電力が得られるように設定されているので、この場合でもマイコン１６には駆動電力が与えられる。
【００４８】
このようにして、マイコン１６に駆動電力が与えられマイコン１６が動作を開始すると、マイコン１６は暖房熱源機２の通信部２２との通信を開始する。その際、マイコン１６は、少なくともマイコン１６以外の各部には電力が供給されないように定電圧回路１１の出力に接続される負荷を停止状態に制御して、定電圧回路１１の出力電流を制限する。ここで、マイコン１６以外への電力供給を行なわせないのは、この状態（暖房熱源機２からの供給電圧が特定されていない状態）でリモコン各部に電力供給を開始すると、供給電圧が低い暖房熱源機２が接続されていたときに、リモコン各部での電力消費によってマイコン１６が電力不足に陥るおそれがあるからである。したがって、このような状態で、定電圧回路１１ａからリモコン各部に電力を供給してもマイコン１６が電力不足にならないのであれば、マイコン１６以外の他の各部（全部又は一部）に電力を供給するように構成してもよい。
【００４９】
そして、マイコン１６が暖房熱源機２との通信を開始すると、この通信によって暖房熱源機２からの供給電圧を特定する。
【００５０】
具体的には、マイコン１６はこの通信開始当初に上記データ伝送手順のうちの手順Ａまたは手順Ｂのいずれか一方を選択して、当該データ伝送手順に従って暖房熱源機２と通信ができるか否かを判断し、たとえば、手順Ａが選択されている状態で暖房熱源機２との通信ができれば（つまり、選択した手順と同じデータ伝送手順で通信ができれば）、接続されている暖房熱源機２は選択した手順Ａと同じ手順で通信を行う暖房熱源機２ａであると判定して、マイコン１６に記憶されたデータに基づいて供給電圧はＤＣ２５Ｖであると特定する。一方、手順Ａが選択されている状態で一定時間内に暖房熱源機２との通信ができないとき（つまり、選択した手順と異なるデータ伝送手順である場合）は、手順Ａとは異なる手順Ｂの暖房熱源機２ｂが接続されていると判定して、マイコン１６に記憶されたデータに基づいて供給電圧はＤＣ１５Ｖであると特定する。この場合、マイコン１６はデータ伝送手順を手順Ｂに切り替えて、以後、手順Ｂに従って暖房熱源機２ｂとの通信を行う。
【００５１】
なお、この判定にあたり、手順Ａ、手順Ｂのいずれをマイコン１６に選択させるかは自由に設定することができる。たとえば、マイコン１６に図示しないディップスイッチを設けておき、このディップスイッチで予め接続される暖房熱源機２の種別の設定ができるように構成されている場合には、このディップスイッチで設定された暖房熱源機２の手順を選択して上記判定を行うように構成することもできる。
【００５２】
このようにして、暖房熱源機２からの供給電圧が特定されると、次に、マイコン１６は、この特定した供給電圧に基づいて抵抗値設定手段１３により制限抵抗１２の抵抗値を設定し、定電圧回路１１への入力電圧が適正な値となるように調節する。
【００５３】
具体的には、暖房熱源機２ａが接続されていると判定した場合には、供給電圧はＤＣ２５Ｖであるので、マイコン１６はスイッチ手段１５を開放状態に制御して、制限抵抗１２を通じて定電圧回路１１に電力が供給されるようにする。一方、暖房熱源機２ｂが接続されていると判定した場合は、供給電圧はＤＣ１５Ｖであるので、マイコン１６はスイッチ手段１５を短絡状態に制御して制限抵抗１２を通さずに、つまり、電路１４を通じて定電圧回路１１に電力が供給されるようにする。
【００５４】
また、この処理と併せて、マイコン１６は、マイコン１６以外へのリモコン各部に対して定電圧回路１１から電力供給が開始されるように定電圧回路１１の出力電流の制限を解除する。これにより、暖房用リモコン１は正常動作を開始し、当該リモコン１による暖房熱源機２の遠隔操作が可能となる。
【００５５】
このように、本発明では、暖房熱源機として２ａ，２ｂのいずれの暖房熱源機が接続されているかをマイコン１６が通信により判定して、定電圧回路１１への入力電圧が適正な値となるように抵抗値設定手段１３を自動的に制御するので、異なる通信仕様の暖房熱源機２ａ，２ｂについて互換性のある暖房用リモコン１を提供することができる。
【００５６】
なお、本実施形態に示す暖房用リモコン１においては、このマイコン１６による暖房熱源機２の供給電圧の特定並びに定電圧回路１１への入力電圧の自動調整処理は、上述した暖房熱源機２からの電力供給の開始時に限らず、暖房熱源機２との通信に通信異常が発生した際（たとえば、信号線４からの信号途絶や信号に誤りが含まれていることをマイコン１６が検出した際）にも行うように構成される。
【００５７】
つまり、マイコン１６が通信異常を検出すると、マイコン１６はスイッチ手段１５を上記初期設定に戻して電路１４を開放状態にして制限抵抗１２を通じて電力が供給されるように制御した上で、上述した手順に従って暖房熱源機２の判定、供給電圧の特定を行い、定電圧回路１１への入力電圧の調節を行う。すなわち、このように通信異常を検出した場合も制限抵抗１２を通じるように制御することで、定電圧回路１１に定格入力電圧を超える電圧が入力されるおそれが解消される。
【００５８】
なお、上述した実施形態はあくまでも本発明の好適な実施態様を示すものであって、本発明はこれらに限定されることなくその範囲内で種々の設計変更が可能である。  
【００５９】
たとえば、上述した実施形態では、本発明を暖房用リモコン１に適用した場合を示したが、本発明は暖房熱源機と通信可能に構成された制御部（マイコン）を有し、かつ、暖房熱源機から電力の供給を受けるように構成された暖房通信端末装置であれば、リモコン以外の装置にも適用可能である。
【００６０】
また、上述した実施形態では、制限抵抗１２として抵抗値が固定された抵抗器１２ａ，１２ｂを用いた場合を示したが、制限抵抗１２は抵抗値設定手段１３によってその抵抗値の変更が可能であればよく、可変抵抗器を用いることも可能である。なお、その場合、抵抗値設定手段１３は可変抵抗器の抵抗値を制御するように構成される。
【００６１】
また、上述した実施形態では、供給電圧の最も低い暖房熱源機２ｂが接続された場合、制限抵抗１２を介さずに暖房熱源機２ｂからの電力を定電圧回路１１に供給するよう構成した場合を示したが、これは供給電圧の低い暖房熱源機２ｂの供給電圧が定電圧回路１１の定格入力電圧を超えないからであり、定電圧回路１１の定格入力電圧を超える場合には、上述した制限抵抗１２とは別にこれと直列に他の制限抵抗（電気抵抗）を介在させて定電圧回路１１の入力電圧が定格入力電圧以下となるように構成する。なお、このように他の制限抵抗を介在させる場合には、上述した制限抵抗１２の抵抗値はこの他の制限抵抗の抵抗値を加味して設定される。
【００６２】
また、上述した実施形態では、抵抗値設定手段１３のスイッチ手段１５ａ，１５ｂとしてトランジスタを用いた場合を示したが、このスイッチ手段はマイコン１６で電路１４ａ，１４ｂの短絡／開放制御が可能なものであればトランジスタ以外のスイッチ機構（例えば、リレーなど）を採用することも可能である。
【００６３】
また、上述した実施形態では、通信による暖房熱源機２の供給電圧の特定にあたり、２ａ，２ｂいずれの暖房熱源機が接続されているかの判定が、データ伝送手順の一致・不一致により判定するように構成した場合を示したが、たとえば、マイコン１６が一致するデータ伝送手順を探して暖房熱源機２を特定するように構成するなど適宜設計変更可能である。要は、暖房熱源機２との通信によって供給電圧を特定するように構成されていればよい。したがって、マイコン１６が暖房熱源機２側から出力電圧に関するデータを通信により直接取得して供給電圧を特定するように構成することもできる。
【００６４】
さらに、上述した実施形態では、制限抵抗１２ａ，１２ｂには抵抗値が固定された１個の抵抗器１２ａ，１２ｂを用いた場合を示したが、たとえば複数の抵抗器を直列に接続することによって構成することも可能である。また、それに伴って、これら直列に接続された複数の抵抗器の全体（合成抵抗）に対して１の抵抗値設定手段１３（電路１４及びスイッチ手段１５）を設けることが可能であることは勿論のこと、数個の抵抗器ごとや各抵抗器ごとに電路１４及びスイッチ手段１５を備えさせて、各スイッチ手段１５のそれぞれをマイコン１６で制御可能に構成することも可能である。そうすることにより、制限抵抗１２の抵抗値をきめ細かく調節・設定することが可能になり、より他種類（２種類以上）の供給電圧にも対応可能になる。
【図面の簡単な説明】
【００６５】
【図１】本発明に係る暖房用リモコンの電源系統並びに通信系統の概略構成を示す説明図である。
【図２】従来の暖房用リモコンと給湯装置（暖房熱源機）との接続例を示す説明図である。
【符号の説明】
【００６６】
１              暖房用リモコン（暖房通信端末装置）
２              暖房熱源機
３              電源線
４              信号線
１１            定電圧回路
１２            制限抵抗
１３            抵抗値設定手段
１４            電路
１５            トランジスタ（スイッチ手段）
１６            マイコン（制御部）
２１            暖房熱源機の電源部
２２            暖房熱源機の通信部
【図１】
0005181778.tif 000002
【図２】
0005181778.tif 000003